(57)【要約】【課題】防振ゴムを必要とすることなしに、振動および騒音の発生を防止する。【解決手段】ファンユニット（２）は、ファンハウジング（３）と、該ファンハウジング内に設けられたファンモータ（５）と、前記ファンハウジングの仕切板用取付面（６ａ）に取付けられていて前記ファンモータからの空気流れを整流する仕切板（４）とを含んでおり、前記ファンハウジングの前記仕切板用取付面には、突起部（７）が設けられている。【選択図】図５
2015113756.tif 000002
【特許請求の範囲】
【請求項１】
ファンハウジングと、
該ファンハウジング内に設けられたファンモータと、
前記ファンハウジングの仕切板用取付面に取付けられていて前記ファンモータからの空気流れを整流する仕切板とを具備し、
前記ファンハウジングの前記仕切板用取付面には、突起部が設けられている、ファンユニット。
【請求項２】
前記仕切板に当接する前記突起部の先端が平面であるようにした請求項１に記載のファンユニット。
【請求項３】
複数の前記突起部が設けられている請求項１または２に記載のファンユニット。
【請求項４】
前記仕切板用取付面には、前記仕切板を固定する複数の固定部が設けられており、
複数の前記突起部のうちの一つの突起部と該一つの突起部に最も近い一つの固定部との間の距離は、複数の前記突起部のうちの他の突起部と該他の突起部に最も近い他の固定部との間の距離に等しいようにした、請求項３に記載のファンユニット。
【請求項５】
請求項１から４のいずれか一項に記載のファンユニットを備えた電動機。
【発明の詳細な説明】
【技術分野】
【０００１】
本発明は、電動機に備えられたファンユニットに関する。
【背景技術】
【０００２】
電動機を安定して動作させるために、空気流れを供給して電動機を冷却するファンユニットが電動機に備えられている。ファンモータはプロペラファンまたはラジアルファンを含んでいる。そして、ファンモータがラジアルファンである場合には、ラジアルファンからの空気流れを整流する仕切板が必要とされる。
【０００３】
ところが、電動機およびファンモータが稼働しているときには、電動機などからの振動によって、ファンモータが振動したり、騒音が発生したりする場合がある。このため、特許文献１、特許文献２および特許文献３においては、防振ゴムを採用し、それにより、振動や騒音が発生するのを防止している。
【先行技術文献】
【特許文献】
【０００４】
【特許文献１】特開平5-168188号公報
【特許文献２】特開平9-196401号公報
【特許文献３】特開平11-69702号公報
【発明の概要】
【発明が解決しようとする課題】
【０００５】
しかしながら、特許文献１、特許文献２および特許文献３は防振ゴムを追加する必要があるので、ファンユニットの部品点数が増え、部品の保守、管理が煩雑となる。さらに、防振ゴムが使用により摩耗した場合には、振動などが再び発生するようになり、防振ゴムを交換する必要がある。
【０００６】
本発明はこのような事情に鑑みてなされたものであり、防振ゴムを必要とすることなしに、振動および騒音の発生を防止することのできるファンユニットを提供することを目的とする。
【課題を解決するための手段】
【０００７】
前述した目的を達成するために１番目の発明によれば、ファンハウジングと、該ファンハウジング内に設けられたファンモータと、前記ファンハウジングの仕切板用取付面に取付けられていて前記ファンモータからの空気流れを整流する仕切板とを具備し、前記ファンハウジングの前記仕切板用取付面には、突起部が設けられている、ファンユニットが提供される。
２番目の発明によれば、１番目の発明において、前記仕切板に当接する前記突起部の先端が平面であるようにした。
３番目の発明によれば、１番目または２番目の発明において、複数の前記突起部が設けられている。
４番目の発明によれば、３番目の発明において、前記仕切板用取付面には、前記仕切板を固定する複数の固定部が設けられており、複数の前記突起部のうちの一つの突起部と該一つの突起部に最も近い一つの固定部との間の距離は、複数の前記突起部のうちの他の突起部と該他の突起部に最も近い他の固定部との間の距離に等しいようにした。
５番目の発明によれば、１番目から４番目のいずれかの発明のファンユニットを備えた電動機が提供される。
【発明の効果】
【０００８】
１番目の発明においては、仕切板用取付面に突起部が設けられているので、仕切板を取付るときに、仕切板は突起部に押当たってわずかながら湾曲する。言い換えれば、仕切板はファンハウジングに強制的に押当てられることになる。このため、仕切板とファンハウジングは実質的に一体的となり、仕切板とファンハウジングとの間において振動および騒音の発生を抑えられる。それゆえ、防振ゴムを排除することが可能となる。
２番目の発明においては、突起部の先端が仕切板に面接触する。従って、より安定した振動抑制効果および騒音抑制効果が得られる。
３番目の発明においては、複数の突起部のそれぞれが仕切板に押当たるので、振動および騒音をより抑えることができる。
４番目の発明においては、複数の突起部のそれぞれと対応する突起部との間の距離が互いに等しくなるので、振動および騒音をより抑えることができる。
５番目の発明においては、振動および騒音の発生を抑えた電動機を提供することができる。
【図面の簡単な説明】
【０００９】
【図１】本発明に基づくファンユニットが取付けられた電動機の斜視図である。
【図２】本発明に基づくファンユニットの部分断面斜視図である。
【図３】仕切板およびファンモータを排除した状態における、図２の線Ａ−Ａに沿ってみた部分断面斜視図である。
【図４】本発明の一つの実施形態におけるファンユニットのファンハウジングの断面図である。
【図５】仕切板が取付けられた状態における図４のファンハウジングの断面図である。
【図６】本発明の他の実施形態におけるファンユニットのファンハウジングの断面図である。
【発明を実施するための形態】
【００１０】
以下、添付図面を参照して本発明の実施形態を説明する。以下の図面において同様の部材には同様の参照符号が付けられている。理解を容易にするために、これら図面は縮尺を適宜変更している。
図１は本発明に基づくファンユニットが取付けられた電動機の斜視図である。図１に示される電動機１は、例えば工作機械の主軸および送り軸やロボットの各軸を駆動するモータである。そして、図１に示されるように、電動機１の背面には、ファンユニット２が設けられている。このファンユニット２は電動機１に送風または電動機１の発熱を排出するなどして、電動機１を安定的に動作させるのに使用される。
【００１１】
図２は本発明に基づくファンユニットの部分断面斜視図である。図２に示されるように、ファンユニット２はファンハウジング３と、ファンハウジング３内に配置されたラジアルファン型のファンモータ５とを主に含んでいる。そして、ファンハウジング３の開口部には、この開口部に対応した形状の仕切板４が設けられている。
【００１２】
図２から分かるように、仕切板４はファンモータ５と同軸に設けられている。仕切板４はファンモータ５から送られる空気流れを仕切板４の貫通孔に通して整流する役目を果たしている。仕切板４はファンモータ５と電動機１（図２には示さない）との間に配置されているので、ファンモータ５から送られる空気流れは仕切板４を通って電動機１に供給または電動機１からの発熱が排出され、電動機１を冷却する。
【００１３】
図３は、仕切板およびファンモータを排除した状態における、図２の線Ａ−Ａに沿ってみた部分断面斜視図である。図３に示されるように、ファンハウジング３は、その外縁から半径方向内側に延びる仕切板用取付面６ａと、仕切板用取付面６の内縁から軸線方向に延びる内周面６ｂと、内周面６ｂに接続されていてファンモータ５を閉鎖する底面６ｃとを含んでいる。底面６ｃには複数の孔が規則的に形成されている。図示される実施形態においては、ファンハウジング３の内周面６ｂは略八角形であるが、他の形状、例えば円形、四角形、六角形であってもよい。
【００１４】
図３においては、ファンハウジング３の仕切板用取付面６ａの角部にネジ孔８が形成されている。図２および図３を比較して分かるように、複数、例えば四つのネジ９を仕切板４の角部に通してネジ孔８のそれぞれに螺合させる。これにより、仕切板４がファンハウジング３の開口部に取付けられるようになる。また、図３においては、ネジ孔８よりも外方に位置する他のネジ孔１０が示されている。これらネジ孔１０は、ファンユニット２を電動機１の背面に固定するのに使用される（図１を参照されたい）。
【００１５】
図３に示されるように、ファンハウジング３の仕切板用取付面６ａから突出する突起部７が仕切板用取付面６ａに設けられている。突起部７はファンハウジング３の開口部の一つの辺の略中央に形成されており、ファンハウジング３は四つの突起部７を仕切板用取付面６ａに有している。これら突起部７はファンハウジング３に対して左右対称または回転対称に配置されているのが好ましい。
【００１６】
図４は、本発明の一つの実施形態におけるファンユニットのファンハウジングの断面図である。図４および後述する図６においては、理解を容易にする目的で、仕切板４およびファンモータ５の図示を省略している。図３および図４を参照すると、突起部７はファンハウジング３の外縁に対して平行に延びる細長状の突起である。突起部７はその高さが比較的低く且つその幅が比較的大きいのが好ましい。また、容易に作成する目的で、突起部７の奥行は比較的小さいのが好ましい。
【００１７】
図５は仕切板が取付けられた状態における図４のファンハウジングの断面図である。図５に示されるように、ネジ９によって仕切板４をファンハウジング３のネジ孔８に固定する。突起部７は仕切板用取付面６から突出しており、その先端は仕切板用取付面６よりも高い位置にある。このため、ネジ９をネジ孔８に螺合させて仕切板４を仕切板用取付面６ａに取付けると、仕切板４は突起部７に必ず押当たるようになり、仕切板４はその辺部の中心近傍で上方に凸に湾曲する。
【００１８】
言い換えれば、仕切板４はファンハウジング３の仕切板用取付面６ａに強制的に押当てられることになる。このため、仕切板４とファンハウジング３は実質的に一体的となり、仕切板４とファンハウジング３との間において振動および騒音の発生を抑えられる。それゆえ、本発明においては、従来技術で採用していた防振ゴムを排除することが可能となる。その結果、コストの低減を図ることができ、また、ファンユニット２の製造も容易になり、製造時間の短縮も図ることが可能となる。
【００１９】
また、前述したように、突起部７はファンハウジング３の外縁に対して平行に延びる細長状の突起である。そして、突起部７の先端は平坦面として構成されている。それゆえ、仕切板４が取付けられると、突起部７の先端は仕切板４に面接触することになる。このため、突起部７の先端が仕切板４に点接触する場合と比較して、本発明においては、振動および騒音の発生をさらに抑えられるのが分かるであろう。
【００２０】
さらに、図６は本発明の他の実施形態におけるファンユニットのファンハウジングの断面図である。図６においては、二つの突起部７ａ、７ｂがファンハウジング３の開口部の一つの辺の中央に並んで形成されている。つまり、図６に示される実施形態においては、ファンハウジング３の開口部の四つの辺のそれぞれに二つの突起部７ａ、７ｂが配置されている。これら突起部７ａ、７ｂの組はファンハウジング３に対して左右対称または回転対称に配置されているのが好ましい。
【００２１】
図６においては、一方の突起部７ａと一方の突起部７ａに隣接する左方のネジ孔８との間の距離Ｌａは、他方の突起部７ｂと他方の突起部７ｂに隣接する右方のネジ孔８との間の距離Ｌｂに等しい。図面には示さないものの、このことは、他の辺においても同様である。
【００２２】
ファンハウジング３の開口部の一つの辺に複数の突起部７ａ、７ｂを設けた場合には、複数の突起部７ａ、７ｂのそれぞれが仕切板に押当たることになる。従って、単一の突起部７を設けた場合（図４）と比較して、振動および騒音をより抑えられるのが分かるであろう。
【００２３】
さらに、図６に示される実施形態においては、二つの突起部７ａ、７ｂの位置がファンハウジング３の開口部の一辺の方向において左右対称になっている。言い換えれば、二つの突起部７ａ、７ｂは左右でバランスしているので、振動および騒音をより抑えることが可能である。
【符号の説明】
【００２４】
１    電動機
２    ファンユニット
３    ファンハウジング
４    仕切板
５    ファンモータ
６ａ    仕切板用取付面
７    突起部
８    ネジ孔（固定部）
９    固定ネジ
１０    他のネジ孔
【図１】
2015113756.tif 000003
【図２】
2015113756.tif 000004
【図３】
2015113756.tif 000005
【図４】
2015113756.tif 000006
【図５】
2015113756.tif 000007
【図６】
2015113756.tif 000008